(57)【特許請求の範囲】
【請求項１】
作業台上面に突出した状態と、作業台上面より下部へ収納した状態の位置切替がなされる畳床の受け部材と、
上記畳床の受け部材とリンク機構により連動して作業台上面に突出した状態と、作業台上面よりも下部へ収納した状態の位置切替がなされるフック部材と、
作業台上面で上記畳床受け部材が作業台上面に突出することにより上記畳床受け部材と作業台上面とで斜めに保持された畳床に対して、畳床の巾よりも長い棒状部材であって、その一方端をフック部材に引っかけて、もう一方の端部を作業者が持って体重をかけることにより使用される畳床を反らせる部材と、
を具備することを特徴とする畳製造用の作業台。
【請求項２】
上記畳床の受け部材を配置した側と他端側に、
作業台上面に対して畳床を押さえて固定する畳床押さえ手段と、
畳表をチャックして緊張させる表張機能装置と、
畳床の框を縫着するミシンと、
を配置することを特徴とする請求項１記載の畳製造用の作業台。
【発明の詳細な説明】
【０００１】
【産業上の利用分野】
この発明は、畳を製造する作業台に関するものである。特に、作業台以外として種々の機能機構を搭載し畳の製造機械へ構成することができる構造を有するものである。
【０００２】
【従来の技術】
従来は人が体重を加えるなどして畳床を弓なりに反らせていたが、人が手作業でやっていた作業を機械に置き換え、生産効率を高めるための機械が種々提案されている。特公昭６０−５５６６２号の畳のくせ取り装置や実公昭５４−３８１０４号、特公昭６０−５５６６１号等の畳の表張り機やその他の装置が本出願人により提案され、実施されている。
【０００３】
また、畳表張り機としては、特公昭５３−１０３７６号のように畳床の框の片側を待ち針で固定し畳表を緊張するといった畳床を弓なりに反らせない方法で畳表を張るものが知られている。
【０００４】
【発明が解決しようとする課題】
畳床を弓なりに反らせない方法で畳表を張る機械はメリットも多いのあるであるが、畳表の種類、例えば麻引きの畳表等、によってはピンと畳表が張った状態で畳床に縫着するためには、かなり強い力で畳表を緊張させなければならなかった。高級品として扱われる畳表のほとんどが強く緊張させる必要があるものなのである。
【０００５】
高級品の畳表を張る場合は畳床も強度のあるものが使用されるのであるが、従来の畳表張り機で作業した場合には、畳表を強い力で緊張させると、畳床がずれないように固定するストッパ部（例えば特公昭５３−１０３７６号における符号２Ｃ）に畳床の框端部が強く押しつけられることになり、畳床框部の変形、割れや欠けを起こしてしまうことがあった。
【０００６】
以上のことから、従来の弓なりに反らせる方法で表張りをするときには、その機能を装備した機械がないために手間がかかってしまっていた。
【０００７】
【課題を解決するための手段】
上記の課題を解決するために、作業台上面に突出した状態と、作業台上面より下部へ収納した状態の位置切替がなされる畳床の受け部材と、上記畳床の受け部材とリンク機構により連動して作業台上面に突出した状態と、作業台上面よりも下部へ収納した状態の位置切替がなされるフック部材と、
作業台上面で上記畳床受け部材が作業台上面に突出することにより上記畳床受け部材と作業台上面とで斜めに保持された畳床に対して、畳床の巾よりも長い棒状部材であって、その一方端をフック部材に引っかけて、もう一方の端部を作業者が持って体重をかけることにより使用される畳床を反らせる部材とを具備する畳製造用の作業台を提供する。
【０００８】
また、上記畳床の受け部材を配置した側と他端側に、作業台上面に対して畳床を押さえて固定する畳床押さえ手段と、畳表をチャックして緊張させる表張機能装置と、畳床の框を縫着するミシンと、を配置することを特徴とする請求項１記載の畳製造用の作業台も提供するものである。
【０００９】
もちろんただの作業台とせず、上記の請求項２のように畳表の緊張機構や框縫着のためのミシンを設置することにより、畳表張り機、框縫着機等として構成してもよいのである。
【００１０】
【発明の実施の形態】
以下、実施例を示し、さらに詳しくこの作業台について説明する。
【００１１】
【実施例】
図１から図４に示した実施例は安価にするために各部の動きを手動式とした作業台の例である。レバー７を動かすことにより、軸４を回転させ、軸４に固定された２本のアームに回転自在に支持された畳床受けローラ２を初期位置から作業台１上へ旋回させる。リンク機構で接続されているので、畳床曲げ用フック３も旋回して作業台１上へ現れる。図２は初期位置で図３が作業位置を示している。
【００１２】
図３の状態にした後、畳床５を畳床受けローラ２に預けて作業台１上で畳床５が斜めになるように置く。先に畳床を置いておき、畳床受けローラ２を旋回上昇させてもよいのである。ここで畳床曲げ用フック３に畳床曲げ棒６の一端を引っかけて他端の６ａ側に作業者が体重をかけることにより畳床５を弓なりに反らせる。弓なりに反らせた後は、待ち針で畳表を畳床の両框へ仮止めし、従来の縫着機で縫着すればよいのである。畳床曲げ棒６を使用しないときは、作業台のそばへ立てかけておくだけでもよいが、畳床曲げ棒６の置き場所として作業台の脚部へ受け部８を設けて載せておくと保管に便利である。
【００１３】
もちろん、上記の手動式に限らずレバー７はエアシリンダー等で駆動するようにしてもよいのである。また、畳床曲げ棒６も作業者が手で使用するのではなく畳床上方から駆動源を使って移動させて畳床を反らせるようにしてもよい。
【００１４】
畳床受け部材はローラに限定せず板状体等にもでき、畳床曲げ用フックは旋回させずに着脱式としてもよい。
【００１５】
畳製造ラインを所有しているユーザーであれば、畳表張り機近くに作業台１を配置するようにレイアウトすれば効率的に使用できるのである。
【００１６】
（その他の実施例）作業台を表張り機能付きの框縫着機として構成した例を図５に示す。この例では縫着は片側のみ、すなわちミシン１１は１台だけ設置した例である。畳表をチャックして緊張する表張機能装置１２を設置しているので、糸引きの畳表等を縫着することができる。
【００１７】
表張機能装置１２は作業台１より下部に収納されるように配置しており、エアシリンダー等（図示せず）の駆動により、図５の実線位置へ移動する。畳表チャック部１３が上昇し、畳表をチャックさせ、畳表を緊張させると、畳床押さえ部１４を降下させて畳床と畳表を押さえて固定し、表張機能装置１２を初期位置へ移動させミシン１１で框を縫着するのである。本実施例で畳床５を反らせて畳表を張り付けた場合は前期実施例と同様である。
【００１８】
またさらには、本実施例に畳床旋回用のターンテーブルを設置して畳床の旋回を簡単にできるようにしてもよいのである。
【００１９】
中小規模のユーザーにとっては、畳表の種類に関わらず効率的に縫着ができる省力機として使用することができるのである。もちろん、大規模ユーザーにとっても麻引きの畳表を張り付ける製造ラインとして従来のラインに並列して構成し活用することができる。
【００２０】
【発明の効果】
以上の説明から明らかなように、従来の課題を解決し、より効率的に畳の製造を可能とすることができる作業台が提供できるのである。
【図面の簡単な説明】
【図１】手動式の実施例を示す斜視図
【図２】図１の初期位置を説明する図
【図３】図１の作業位置を説明する図
【図４】畳床を反らせ状態を示す図
【図５】他の実施例を示す図
【符号の説明】
１ 作業台
２ 畳床受けローラ
３ 畳床曲げ用フック
４ 軸
５ 畳床
６ 畳床曲げ棒
７ レバー
８ 受け部
１１ ミシン
１２ 表張機能装置
１３ 畳表チャック部
１４ 畳床押さえ部
【図１】
0003849894.tif 000002
【図２】
0003849894.tif 000003
【図３】
0003849894.tif 000004
【図４】
0003849894.tif 000005
【図５】
0003849894.tif 000006